(57)【要約】【課題】移動端末装置とネットワークを利用した人と人との新たなコミュニケーションの創出に寄与する移動通信システム及び移動端末装置を提供する。【解決手段】移動端末装置とネットワークを介して接続されるサーバ装置あるいは移動端末装置に、移動端末装置からの発信時における発信先及び受信時における発信元の通信履歴情報を蓄積し、ユーザからの要求にしたがって通信履歴情報の統計処理を行い、該統計処理結果に基づいてユーザと該ユーザの複数の通信相手とのコミュニケーション量を移動端末装置にグラフィカルに表示させるための画像データを生成し、移動端末装置に表示させる。【選択図】  図６
2004304719.tif 000002
【特許請求の範囲】
【請求項１】
ユーザが携帯する移動端末装置と、
前記移動端末装置からの発信時における発信先及び受信時における発信元の通信履歴情報を前記ユーザ毎に蓄積し、前記通信履歴情報の統計処理を行い、該統計処理結果に基づいて生成した、前記ユーザによって指定された複数の通信相手間のコミュニケーション量を前記移動端末装置にグラフィカルに表示させるための画像データを前記移動端末装置に提供する、前記移動端末装置とネットワークを介してデータの送受信が可能に接続される情報管理サーバ装置と、
を有する移動通信システム。
【請求項２】
発信時における発信先及び受信時における発信元の通信履歴情報を前記ユーザ毎に蓄積する、ユーザが携帯する移動端末装置と、
前記移動端末装置から送信された前記通信履歴情報の統計処理を行い、該統計処理結果に基づいて生成した、前記ユーザによって指定された複数の通信相手間のコミュニケーション量を前記移動端末装置にグラフィカルに表示させるための画像データを前記移動端末装置に提供する、前記移動端末装置とネットワークを介してデータの送受信が可能に接続される情報管理サーバ装置と、
を有する移動通信システム。
【請求項３】
前記情報管理サーバ装置は、
前記コミュニケーション量の表示内容を指定する、前記移動端末装置を用いて前記ユーザにより予め登録される表示用設定情報を保持する請求項１または２記載の移動通信システム。
【請求項４】
前記通信履歴情報は、
通話日時、通話時間のうち、少なくともいずれか一方を含む通話履歴であり、
前記統計処理結果として、通話回数、通話周期、総通話時間、発信受信回数比率、発信受信時間比率のうち、少なくともいずれか１つを算出する請求項１乃至３のいずれか１項記載の移動通信システム。
【請求項５】
前記通信履歴情報は、
送受信日時、送受信データ量、添付ファイル数、送受信文字数のうち、少なくともいずれか１つを含む電子メールの履歴であり、
前記統計処理結果として、送受信回数、送受信間隔、総データ量、総添付ファイル数、総文字数、絵文字顔文字率のうち、少なくともいずれか１つを算出する請求項１乃至４のいずれか１項記載の移動通信システム。
【請求項６】
前記通信履歴情報は、
撮影日時、保存日時、閲覧日時のうち、少なくともいずれか１つを含む画像データの履歴であり、
前記統計処理結果として、撮影回数、保存回数、送受信回数、閲覧回数のうち、少なくともいずれか１つを算出する請求項１乃至５のいずれか１項記載の移動通信システム。
【請求項７】
ユーザが携帯する移動端末装置であって、
発信時における発信先及び受信時における発信元の通信履歴情報を蓄積する記憶装置と、
前記通信履歴情報の統計処理を行い、該統計処理結果に基づいて前記ユーザと該ユーザの複数の通信相手とのコミュニケーション量をグラフィカルに表示させるための画像データを生成する制御装置と、
前記制御装置で生成された前記画像データにしたがって前記コミュニケーション量を表示する表示装置と、
を有する移動端末装置。
【請求項８】
前記記憶装置は、
前記コミュニケーション量の表示内容を指定する、前記ユーザによって予め登録される表示用設定情報を保持する請求項７記載の移動端末装置。
【請求項９】
前記通信履歴情報は、
通話日時、通話時間のうち、少なくともいずれか一方を含む通話履歴であり、
前記統計処理結果として、通話回数、通話周期、総通話時間、発信受信回数比率、発信受信時間比率のうち、少なくともいずれか１つを算出する請求項７または８のいずれか１項記載の移動端末装置。
【請求項１０】
前記通信履歴情報は、
送受信日時、送受信データ量、添付ファイル数、送受信文字数のうち、少なくともいずれか１つを含む電子メールの履歴であり、
前記統計処理結果として、送受信回数、送受信間隔、総データ量、総添付ファイル数、総文字数、絵文字顔文字率のうち、少なくともいずれか１つを算出する請求項７乃至１０のいずれか１項記載の移動端末装置。
【請求項１１】
前記通信履歴情報は、
撮影日時、保存日時、閲覧日時のうち、少なくともいずれか１つを含む画像データの履歴であり、
前記統計処理結果として、撮影回数、保存回数、送受信回数、閲覧回数のうち、少なくともいずれか１つを算出する請求項７乃至１０のいずれか１項記載の移動端末装置。
【請求項１２】
ユーザが携帯する移動端末装置とネットワークを介してデータの送受信が可能に接続される情報管理サーバ装置であって、
前記移動端末装置からの発信時における発信先及び受信時における発信元の通信履歴情報を前記ユーザ毎に蓄積するデータ蓄積装置と、
前記通信履歴情報の統計処理を行い、該統計処理結果に基づいて生成した、前記ユーザによって指定された複数の通信相手間のコミュニケーション量を前記移動端末装置にグラフィカルに表示させるための画像データを前記移動端末装置に提供する処理装置と、
を有する情報管理サーバ装置。
【請求項１３】
ユーザが携帯する移動端末装置とネットワークを介してデータの送受信が可能に接続される情報管理サーバ装置であって、
前記移動端末装置から送信される、該移動端末装置からの発信時における発信先及び受信時における発信元の通信履歴情報を受信すると、前記通信履歴情報の統計処理を行い、該統計処理結果に基づいて生成した、前記ユーザによって指定された複数の通信相手間のコミュニケーション量を前記移動端末装置にグラフィカルに表示させるための画像データを前記移動端末装置に提供する処理装置を有する情報管理サーバ装置。
【請求項１４】
前記データ蓄積装置は、
前記コミュニケーション量の表示内容を指定する、前記移動端末装置を用いて前記ユーザにより予め登録される表示用設定情報を保持する請求項１２または１３記載の情報管理サーバ装置。
【請求項１５】
前記通信履歴情報は、
通話日時、通話時間のうち、少なくともいずれか一方を含む通話履歴であり、
前記統計処理結果として、通話回数、通話周期、総通話時間、発信受信回数比率、発信受信時間比率のうち、少なくともいずれか１つを算出する請求項１２乃至１４のいずれか１項記載の情報管理サーバ装置。
【請求項１６】
前記通信履歴情報は、
送受信日時、送受信データ量、添付ファイル数、送受信文字数のうち、少なくともいずれか１つを含む電子メールの履歴であり、
前記統計処理結果として、送受信回数、送受信間隔、総データ量、総添付ファイル数、総文字数、絵文字顔文字率のうち、少なくともいずれか１つを算出する請求項１２乃至１５のいずれか１項記載の情報管理サーバ装置。
【請求項１７】
前記通信履歴情報は、
撮影日時、保存日時、閲覧日時のうち、少なくともいずれか１つを含む画像データの履歴であり、
前記統計処理結果として、撮影回数、保存回数、送受信回数、閲覧回数のうち、少なくともいずれか１つを算出する請求項１２乃至１６のいずれか１項記載の情報管理サーバ装置。
【請求項１８】
ユーザが携帯する移動端末装置に情報を表示させるための情報表示方法であって、
前記移動端末装置とネットワークを介してデータの送受信が可能に接続されるサーバ装置に、前記移動端末装置からの発信時における発信先及び受信時における発信元の通信履歴情報を前記ユーザ毎に蓄積し、
前記サーバ装置で前記通信履歴情報の統計処理を行い、
該統計処理結果に基づいて前記ユーザによって指定された複数の通信相手間のコミュニケーション量を前記移動端末装置にグラフィカルに表示させるための画像データを前記サーバ装置で生成し、前記移動端末装置に提供する情報表示方法。
【請求項１９】
ユーザが携帯する移動端末装置に情報を表示させるための情報表示方法であって、
発信時における発信先及び受信時における発信元の通信履歴情報を移動端末装置で蓄積し、
前記移動端末装置とネットワークを介してデータの送受信が可能に接続されるサーバ装置で、前記移動端末装置から送信された前記通信履歴情報の統計処理を行い、
該統計処理結果に基づいて前記ユーザによって指定された複数の通信相手間のコミュニケーション量を前記移動端末装置にグラフィカルに表示させるための画像データを前記サーバ装置で生成し、前記移動端末装置に提供する情報表示方法。
【請求項２０】
前記コミュニケーション量の表示内容を指定する、前記移動端末装置を用いて前記ユーザにより予め登録される表示用設定情報を前記サーバ装置で保持する請求項１８または１９記載の情報表示方法。
【請求項２１】
前記通信履歴情報は、
通話日時、通話時間のうち、少なくともいずれか一方を含む通話履歴であり、
前記統計処理結果として、通話回数、通話周期、総通話時間、発信受信回数比率、発信受信時間比率のうち、少なくともいずれか１つを前記サーバ装置で算出する請求項１８乃至２０のいずれか１項記載の情報表示方法。
【請求項２２】
前記通信履歴情報は、
送受信日時、送受信データ量、添付ファイル数、送受信文字数のうち、少なくともいずれか１つを含む電子メールの履歴であり、
前記統計処理結果として、送受信回数、送受信間隔、総データ量、総添付ファイル数、総文字数、絵文字顔文字率のうち、少なくともいずれか１つを前記サーバ装置で算出する請求項１８乃至２１のいずれか１項記載の情報表示方法。
【請求項２３】
前記通信履歴情報は、
撮影日時、保存日時、閲覧日時のうち、少なくともいずれか１つを含む画像データの履歴であり、
前記統計処理結果として、撮影回数、保存回数、送受信回数、閲覧回数のうち、少なくともいずれか１つを前記サーバ装置で算出する請求項１８乃至２２のいずれか１項記載の情報表示方法。
【請求項２４】
ユーザが携帯する移動端末装置に情報を表示させるための情報表示方法であって、
発信時における発信先及び受信時における発信元の通信履歴情報を前記移動端末装置で蓄積し、
前記通信履歴情報の統計処理を前記移動端末装置で行い、該統計処理結果に基づいて前記ユーザと該ユーザの複数の通信相手とのコミュニケーション量をグラフィカルに表示させるための画像データを生成し、
前記画像データにしたがって前記コミュニケーション量を前記移動端末装置の表示装置に表示させる情報表示方法。
【請求項２５】
前記コミュニケーション量の表示内容を指定する、前記ユーザによって予め登録される表示用設定情報を前記移動端末装置で保持する請求項２４記載の情報表示方法。
【請求項２６】
前記通信履歴情報は、
通話日時、通話時間のうち、少なくともいずれか一方を含む通話履歴であり、
前記統計処理結果として、通話回数、通話周期、総通話時間、発信受信回数比率、発信受信時間比率のうち、少なくともいずれか１つを前記移動端末装置で算出する請求項２４または２５記載の情報表示方法。
【請求項２７】
前記通信履歴情報は、
送受信日時、送受信データ量、添付ファイル数、送受信文字数のうち、少なくともいずれか１つを含む電子メールの履歴であり、
前記統計処理結果として、送受信回数、送受信間隔、総データ量、総添付ファイル数、総文字数、絵文字顔文字率のうち、少なくともいずれか１つを前記移動端末装置で算出する請求項２４乃至２６のいずれか１項記載の情報表示方法。
【請求項２８】
前記通信履歴情報は、
撮影日時、保存日時、閲覧日時のうち、少なくともいずれか１つを含む画像データの履歴であり、
前記統計処理結果として、撮影回数、保存回数、送受信回数、閲覧回数のうち、少なくともいずれか１つを前記移動端末装置で算出する請求項２４乃至２７のいずれか１項記載の情報表示方法。
【請求項２９】
ユーザが携帯する移動端末装置に情報を表示させるための画像データを、前記移動端末装置とネットワークを介してデータの送受信が可能に接続されるコンピュータに生成させるプログラムであって、
前記移動端末装置からの発信時における発信先及び受信時における発信元の通信履歴情報を前記ユーザ毎にデータ蓄積装置に蓄積させ、
前記通信履歴情報の統計処理を実行させ、
該統計処理結果に基づいて前記ユーザによって指定された複数の通信相手間のコミュニケーション量を前記移動端末装置にグラフィカルに表示させるための画像データを生成させ、前記移動端末装置に提供させるための処理を前記コンピュータに実行させるプログラム。
【請求項３０】
ユーザが携帯する移動端末装置に情報を表示させるための画像データを、前記移動端末装置とネットワークを介してデータの送受信が可能に接続されるコンピュータに生成させるプログラムであって、
前記移動端末装置から送信される、該移動端末装置からの発信時における発信先及び受信時における発信元の通信履歴情報を受信すると、前記通信履歴情報の統計処理を実行させ、
該統計処理結果に基づいて生成した、前記ユーザによって指定された複数の通信相手間のコミュニケーション量を前記移動端末装置にグラフィカルに表示させるための画像データを前記移動端末装置に提供させるための処理を前記コンピュータに実行させるプログラム。
【請求項３１】
前記コミュニケーション量の表示内容を指定する、前記移動端末装置を用いて前記ユーザにより予め登録される表示用設定情報を前記データ蓄積装置に保持させる請求項２９または３０記載のプログラム。
【請求項３２】
前記通信履歴情報は、
通話日時、通話時間のうち、少なくともいずれか一方を含む通話履歴であり、
前記統計処理結果として、通話回数、通話周期、総通話時間、発信受信回数比率、発信受信時間比率のうち、少なくともいずれか１つを算出させる請求項２９乃至３１のいずれか１項記載のプログラム。
【請求項３３】
前記通信履歴情報は、
送受信日時、送受信データ量、添付ファイル数、送受信文字数のうち、少なくともいずれか１つを含む電子メールの履歴であり、
前記統計処理結果として、送受信回数、送受信間隔、総データ量、総添付ファイル数、総文字数、絵文字顔文字率のうち、少なくともいずれか１つを算出させる請求項２９乃至３２のいずれか１項記載のプログラム。
【請求項３４】
前記通信履歴情報は、
撮影日時、保存日時、閲覧日時のうち、少なくともいずれか１つを含む画像データの履歴であり、
前記統計処理結果として、撮影回数、保存回数、送受信回数、閲覧回数のうち、少なくともいずれか１つを算出させる請求項２９乃至３３のいずれか１項記載のプログラム。
【請求項３５】
ユーザが携帯する移動端末装置に情報を表示させるための処理を実行させるプログラムであって、
発信時における発信先及び受信時における発信元の通信履歴情報を記憶装置に蓄積させ、
前記通信履歴情報の統計処理を実行させ、
該統計処理結果に基づいて前記ユーザと該ユーザの複数の通信相手とのコミュニケーション量をグラフィカルに表示させるための画像データを生成させ、
前記画像データにしたがって前記コミュニケーション量を表示装置に表示させるためのプログラム。
【請求項３６】
前記コミュニケーション量の表示内容を指定する、前記ユーザによって予め登録される表示用設定情報を前記記憶装置に保持させる請求項３５記載のプログラム。
【請求項３７】
前記通信履歴情報は、
通話日時、通話時間のうち、少なくともいずれか一方を含む通話履歴であり、
前記統計処理結果として、通話回数、通話周期、総通話時間、発信受信回数比率、発信受信時間比率のうち、少なくともいずれか１つを算出させる請求項３５または３６記載のプログラム。
【請求項３８】
前記通信履歴情報は、
送受信日時、送受信データ量、添付ファイル数、送受信文字数のうち、少なくともいずれか１つを含む電子メールの履歴であり、
前記統計処理結果として、送受信回数、送受信間隔、総データ量、総添付ファイル数、総文字数、絵文字顔文字率のうち、少なくともいずれか１つを算出させる請求項３５乃至３７のいずれか１項記載のプログラム。
【請求項３９】
前記通信履歴情報は、
撮影日時、保存日時、閲覧日時のうち、少なくともいずれか１つを含む画像データの履歴であり、
前記統計処理結果として、撮影回数、保存回数、送受信回数、閲覧回数のうち、少なくともいずれか１つを算出させる請求項３５乃至３８のいずれか１項記載のプログラム。
【発明の詳細な説明】
【０００１】
【発明の属する技術分野】
本発明は人と人とのコミュニケーション手段として用いる移動通信システム及び移動端末装置に関する。
【０００２】
【従来の技術】
近年、移動端末装置は、通話だけでなく電子メールや画像（写真や動画）データを交換することで人と人との重要なコミュニケーション手段になりつつある。そこで、コミュニケーション時のアミューズメント性を高める目的で、移動端末装置に通話履歴を記録し、通話終了時にその通話相手との通話履歴に基づいたメッセージを表示する手法が、例えば特許文献１に記載されている。
【０００３】
また、通話履歴と共に互いのプロファイル情報（星座や血液型等）を用いて通話相手との相性や親密度を表示する手法が、例えば特許文献２に記載されている。
【０００４】
【特許文献１】
特開２００１−２１１２４７号
【特許文献２】
特開平１１−２５２６４８号
【０００５】
【発明が解決しようとする課題】
移動端末装置は、基本的に離れた場所に居る人と人とのコミュニケーション手段として用いられるが、例えば、移動端末装置に表示させた画面を友人どうし見せあうことで話題を増やすことができれば、従来とは異なったコミュニケーション手段として利用することができる。
【０００６】
上記したような従来の移動端末装置は、個人で楽しむことを前提としたものであるため、メッセージの表示機会が限られたり、親密度を表示する相手が１人に限定される等の制限がある。
【０００７】
また、親密度の判断に利用する通信履歴も、通話履歴と電子メール履歴とが別々のデータとして管理されること、通話時には発信元となる場合しか発信日時や通話時間が記録されないこと、電子メールの送受信時は送受信データ量や文字数が記録されないこと等の制限がある。また、通信履歴から算出できるような、例えば発信回数と受信回数の比率等の情報を作成する機能を備えていないため、統計処理等によって表示できる情報も限られている。
【０００８】
さらに、写真や動画等を利用して移動端末装置に親密度等を表示させることができないため、アミューズメント性が低いという問題もある。
【０００９】
本発明は上記したような従来の技術が有する問題点を解決するためになされたものであり、移動端末装置とネットワークを利用した人と人との新たなコミュニケーションの創出に寄与する移動通信システム及び移動端末装置を提供することを目的とする。
【００１０】
【課題を解決するための手段】
上記目的を達成するため本発明の移動通信システムは、ユーザが携帯する移動端末装置と、
前記移動端末装置からの発信時における発信先及び受信時における発信元の通信履歴情報を前記ユーザ毎に蓄積し、前記通信履歴情報の統計処理を行い、該統計処理結果に基づいて生成した、前記ユーザによって指定された複数の通信相手間のコミュニケーション量を前記移動端末装置にグラフィカルに表示させるための画像データを前記移動端末装置に提供する、前記移動端末装置とネットワークを介してデータの送受信が可能に接続される情報管理サーバ装置と、
を有する構成である。
【００１１】
または、発信時における発信先及び受信時における発信元の通信履歴情報を前記ユーザ毎に蓄積する、ユーザが携帯する移動端末装置と、
前記移動端末装置から送信された前記通信履歴情報の統計処理を行い、該統計処理結果に基づいて生成した、前記ユーザによって指定された複数の通信相手間のコミュニケーション量を前記移動端末装置にグラフィカルに表示させるための画像データを前記移動端末装置に提供する、前記移動端末装置とネットワークを介してデータの送受信が可能に接続される情報管理サーバ装置と、
を有する構成である。
【００１２】
一方、本発明の移動端末装置は、ユーザが携帯する移動端末装置であって、
発信時における発信先及び受信時における発信元の通信履歴情報を蓄積する記憶装置と、
前記通信履歴情報の統計処理を行い、該統計処理結果に基づいて前記ユーザと該ユーザの複数の通信相手とのコミュニケーション量をグラフィカルに表示させるための画像データを生成する制御装置と、
前記制御装置で生成された前記画像データにしたがって前記コミュニケーション量を表示する表示装置と、
を有する構成である。
【００１３】
上記のような移動通信システム及び移動端末装置では、移動端末装置とネットワークを介して接続されるサーバ装置あるいは移動端末装置に、移動端末装置からの発信時における発信先及び受信時における発信元の通信履歴情報を蓄積し、通信履歴情報の統計処理を行い、該統計処理結果に基づいてユーザによって指定された複数の通信相手間のコミュニケーション量を移動端末装置にグラフィカルに表示させるための画像データを生成し、移動端末装置に表示させることで、複数の通信相手とのコミュニケーション量を容易に確認することが可能になる。
【００１４】
特に、サーバ装置あるいは移動端末装置にて生成した画像データにしたがって移動端末装置にコミュニケーション量をグラフィカルに表示させることで、アミューズメント性が高くなり、移動端末装置に表示させた画面を互いに見せあうこと等によって新たな話題が提供される。
【００１５】
【発明の実施の形態】
次に本発明について図面を参照して説明する。
【００１６】
（第１の実施の形態）
第１の実施の形態の移動通信システムは、移動端末装置からの発信時における発信先及び受信時における発信元それぞれについて、通信日時、通信時間、通信データ量等から成る通信履歴情報をネットワーク上のサーバ装置に蓄積し、該サーバ装置による通信履歴情報の統計処理結果から予めユーザが選定した複数の通信相手（個人またはグループ）とのコミュニケーション量を移動端末装置にグラフィカルに表示するためのものである。
【００１７】
図１は本発明の移動通信システムの一構成例を示すブロック図であり、図２は図１に示した情報管理サーバ装置の一構成例を示すブロック図である。
【００１８】
図１に示すように、本発明の移動通信システムは、各ユーザが携帯する移動端末装置１と、移動端末装置１と無線通信を行う無線基地局２と、ユーザ毎の通信履歴を管理し、移動端末装置１にコミュニケーション量を表示させるための情報を提供する情報管理サーバ装置３と、移動端末装置１どうしや移動端末装置１と情報管理サーバ装置３間で送受信される音声やデータを中継する無線ネットワーク制御装置４とを有し、無線ネットワーク制御装置４と情報管理サーバ装置３とがインターネット等のネットワーク５で接続された構成である。このような構成では、移動端末装置１と情報管理サーバ装置３とがネットワーク５を介して相互にデータの送受信が可能に接続される。
【００１９】
なお、図１では移動端末装置１及び無線ネットワーク制御装置４がそれぞれ１台だけ記載されているが、ネットワーク５には多数の無線ネットワーク制御装置４が接続され、無線ネットワーク制御装置４には多数の無線基地局２が接続される。また、無線基地局２は自装置が管理するセル内の多数の移動端末装置１と無線通信を行うことで移動端末装置１どうしや移動端末装置１と情報管理サーバ装置３間で送受信される音声やデータを中継する。さらに、図１ではネットワーク５に１台の情報管理サーバ装置３が接続された構成を示しているが、後述する本発明の情報管理サーバ装置３の機能は複数のサーバ装置を用いて実現してもよい。
【００２０】
情報管理サーバ装置３は、例えば、ワークステーション・サーバコンピュータ等の情報処理装置であり、移動通信システムを管理する通信会社やＩＳＰ（Ｉｎｔｅｒｎｅｔ  Ｓｅｒｖｉｃｅ  Ｐｒｏｖｉｄｅｒ）等のサービス提供会社、またはそれらの会社に運営を委託された第三者によって管理される。
【００２１】
図２に示すように、情報管理サーバ装置３は、プログラムにしたがって所定の処理を実行する処理装置１０と、処理装置１０に所定の処理を実行させるためのプログラムが記録された記録媒体４０と、処理装置１０に対してコマンドや情報等を入力するための入力装置２０と、処理装置１０の処理結果をモニタするための出力装置３０とを有する構成である。
【００２２】
処理装置１０は、ＣＰＵ１１と、ＣＰＵ１１の処理に必要な情報を一時的に記憶する主記憶装置１２と、移動端末装置１毎の通話履歴や電子メール履歴等の通信履歴情報、及びユーザによって登録された各種データ等が格納されるデータ蓄積装置１４と、主記憶装置１２及びデータ蓄積装置１４とＣＰＵ１１とのデータ転送を制御するメモリ制御インタフェース部１５と、入力装置２０及び出力装置３０とのインタフェースであるＩ／Ｏインタフェース部１６と、ネットワーク５とのデータ通信を制御するインタフェースである通信制御装置１７とを備え、それらがバス１８を介して接続された構成である。
【００２３】
処理装置１０は、記録媒体４０に記録されたプログラムにしたがって以下に記載する処理を実行する。なお、記録媒体４０は、磁気ディスク、半導体メモリ、光ディスクあるいはその他の記録媒体であってもよい。
【００２４】
データ蓄積装置１４には、通話や電子メールの発信時における発信先の電話番号（または電子メールアドレス）、受信時における発信元の電話番号（または電子メールアドレス）、通信日時、通信時間、電子メールのデータ量（写真データ量や動画データ等の画像データ量）、電子メールの文字数等の通信履歴情報がユーザ毎に格納される。また、データ蓄積装置１４には、各ユーザによって予め登録された、電話番号や電子メールアドレス等に対応する人名データやグループ名データがアドレス帳として格納される。通信履歴情報は、各ユーザの個人レコードとして、アドレス帳に登録された人名データやグループ名データが対応付けて記録される。さらに、データ蓄積装置１４には、各ユーザによって予め登録された、移動端末装置に表示させる内容（表示人数や表示させるグラフの種類等）を指定するための表示設定情報が格納される。
【００２５】
移動端末装置１は、情報管理サーバ装置３と同様に、プログラムにしたがって処理を行う制御装置、制御装置に情報やコマンドを入力するための入力装置、及び制御装置の処理結果を表示するための表示装置を備えている。また、それらと共に、携帯電話機としての基本的な機能を実現する、無線基地局２と通信するための無線送受信部、送受信データの信号処理を行うベースバンド信号処理部、写真や動画を撮影するためのカメラ、音声を出力するためのスピーカ、音声を入力するためのマイク等を備えた構成である。これらの構成については周知であるため、その説明は省略する。
【００２６】
次に、本発明の移動通信システムの動作について図３〜図６を用いて説明する。
【００２７】
図３〜図５は図１に示した移動端末装置に表示させる画像の一例を示す模式図であり、図６は図１に示した情報提供サーバ装置の処理手順を示すフローチャートである。
【００２８】
なお、以下では、ユーザが予め情報管理サーバ装置３を管理するサービス提供会社に会員登録され、該ユーザの個人情報が情報管理サーバ装置３に登録されている場合を例にして説明する。この場合、ユーザは、移動端末装置１を用いて情報管理サーバ装置３にアクセスすることで、ユーザの認証に用いる画面（ユーザＩＤやパスワード等を入力させる画面）を表示するための画像データを取得し、該画像データで表示される画面の指示にしたがって認証情報（ユーザＩＤやパスワード等）を情報管理サーバ装置３に返送することで本実施形態の情報提供サービスを受けることが可能になる。
【００２９】
情報管理サーバ装置３には、上述したように、予め移動端末装置１における表示内容を指定するための表示設定情報がユーザ毎に登録される。例えば、ユーザが移動端末装置１を用いてアクセスすると、情報管理サーバ装置３は、該ユーザを認証するための認証画面の画像データを送信し、移動端末装置１から返送される認証情報を用いて該ユーザが会員であるか否かを判定する。そして、ユーザが会員である場合、情報管理サーバ装置３は、ユーザに表示設定情報を登録させるための登録画面の画像データを送信し、登録画面の指示にしたがって移動端末装置１から返送された表示設定情報をデータ蓄積装置１４に格納する。ユーザが会員でない場合、情報管理サーバ装置３は、表示設定情報の登録処理を中止し、例えば会員登録のための処理等に移行する。
【００３０】
ユーザによって登録される表示設定情報には、例えば、表示人数、画像表示、表示パラメータ、グラフの種類、表示優先順位、表示種類等がある。
【００３１】
「表示人数」はコミュニケーション量を同時に表示する最大人数であり、「画像表示」は画像の表示を行うか否かの指示である。また、「表示パラメータ」は、表示に利用する通信履歴情報の選択指示であり、統計指標（友情度（友達深度等）、愛情度（家族愛度等）、つながり度等）と共に指定される。この「表示パラメータ」として指定されるデータには、例えば以下のようなものがある。
【００３２】
通話時における取得データは、通話日時、通話時間等であり、これらのデータから算出できる統計値として通話回数、通話周期（１回／時間、日、週）、総通話時間、発信受信回数比率（発信回数／受信回数）や発信受信時間比率（発信時間／受信時間）等がある。
【００３３】
電子メールの送受信時における取得データは、送受信日時、送受信データ量、添付ファイル数、文字数・絵文字数・顔文字数等であり、これらのデータから算出できる統計値として送受信回数、送受信間隔（１回／時間、日、週）、総データ量、総添付ファイル数、総文字数、絵文字顔文字率（絵文字の数／全文字数）等がある。
【００３４】
また、画像データ（写真データや動画データ）の取得データは、撮影日時、保存日時、閲覧日時等があり、これらのデータから算出できる統計値として撮影回数、保存回数、送受信回数、閲覧回数等がある。なお、画像データには、撮影前または撮影後に対応する人名を特定するために電子メールアドレス等が付与される。
【００３５】
「グラフの種類」は、コミュニケーション量をどのようなグラフで表示するかの選択指示であり、コミュニケーション量を表現する方法として、本実施形態では、例えば図３〜図５に示す複数種類のグラフを用意する。
【００３６】
図３（ａ）は、通話回数、通話時間、電子メールの送受信件数、電子メールのデータ量、電子メールの文字数等の統計値（総計値）に基づいて、予め指定した複数の人やグループとのコミュニケーション量を線の「太さ」で表現した例であり、例えば通話回数や電子メールの送受信件数等が多い人ほど太い線で接続される様子を示している。
【００３７】
図３（ｂ）、（ｃ）は、予め指定した複数の人やグループとのコミュニケーション量を「頻度」で表現した例であり、例えば通話回数や電子メールの送受信件数等に比例するヒストグラムを個人毎に表示した様子を示している。
【００３８】
図４（ｄ）は予め指定した複数の人やグループとのコミュニケーション量をシンボルの「大きさ」で表現した例であり、例えば通話回数や電子メールの送受信件数等が多い人ほど大きなシンボル（または写真）で表示される様子を示している。
【００３９】
図４（ｅ）は予め指定した複数の人やグループとのコミュニケーション量をシンボルの「表示順」で表現した例であり、例えば通話回数や電子メールの送受信件数等が多い人ほどシンボル（または写真）が前に表示される様子を示している。
【００４０】
図４（ｆ）は、予め指定した複数の人やグループとのコミュニケーション量を「頻度」で表現した例であり、例えばグループ毎の通話回数や電子メールの送受信件数に比例する値を接続するレーダーチャートで表示した様子を示している。
【００４１】
また、図５は、予め指定した人やグループとのコミュニケーション量を「頻度」で表現した例であり、例えば通話回数や電子メールの送受信件数等の変動を個人毎に折れ線グラフで表示した様子を示している。
【００４２】
なお、図３〜図５では、各人名データやグループ名データに対応する写真データが無い場合と有る場合の両方の例を記載している。
【００４３】
「表示優先順位」は、表示に用いる通信履歴情報の重み指示であり、例えば、電話重視、電子メール重視、画像重視等から選択する。「表示種類」はコミュニケーション量をグループ単位で表示するか個人単位で表示するかの選択指示であり、表示グループとしては、友人（メル友、異性の友人、サークル仲間、カルチャー仲間等）、家族、会社同僚、あるいはつきあい（ＰＴＡ、ご近所、町内会等）等がある。
【００４４】
図６（ａ）に示すように、ユーザが移動端末装置１を用いて発呼や電子メールの送信、あるいは着呼や電子メールを受信すると、該通信動作は無線ネットワーク制御装置４を介して情報管理サーバ装置３に通知される。情報管理サーバ装置３の処理装置１０は、移動端末装置１の通信動作の通知を受け取ると、無線ネットワーク制御装置４からユーザ毎の通話や電子メールの発信時における発信先電話番号（または電子メールアドレス）、受信時における発信元電話番号（または電子メールアドレス）、通信日時、及び通信時間等の通信履歴情報を取得する（ステップＡ１）。これらの情報は、必ずしも無線ネットワーク制御装置４から取得する必要はなく、例えば、ユーザの移動端末装置１や公知のメールサーバ装置等から通信終了毎に送信させてもよい。
【００４５】
次に、情報管理サーバ装置３の処理装置１０は、データ蓄積装置１４内を検索して通信履歴情報を取得したユーザの個人レコードの有無を確認する（ステップＡ２）。
【００４６】
個人レコードが有る場合は、通信相手の電話番号あるいは電子メールアドレスに基づいてデータ蓄積装置１４内のアドレス帳から対応する人名データを読み出し（ステップＡ３）、通信履歴情報を人名データに結合して個人レコードを更新する（ステップＡ４）。個人レコードは、通信相手の氏名やグループ名に対して通話履歴（日時、通話時間）や電子メール履歴（日時、データ量、文字数）がそれぞれ対応するように、例えばテーブル形式で記録される。ユーザの個人レコードが無い場合は、全てのエントリに零（０）を記録した個人レコードを新たに生成する。
【００４７】
一方、ユーザが移動端末装置１を用いて情報管理サーバ装置３にアクセスし、コミュニケーション量の表示指示を情報管理サーバ装置３に送信すると、情報管理サーバ装置３の処理装置１０は、図６（ｂ）に示すように、まず表示指示を送信したユーザの認証情報から対応する個人レコードの有無を確認する（ステップＢ１）。
【００４８】
個人レコードが存在する場合はその個人レコードを読み出し（ステップＢ２）、表示設定情報の登録有無を確認する（ステップＢ３）。
【００４９】
表示設定情報が登録されている場合、情報管理サーバ装置３の処理装置１０は、個人レコード及び表示設定情報に基づいてデータの統計処理を行い、移動端末装置１に表示させるための画像データを生成してコミュニケーション量の表示を要求した移動端末装置１に返送する。
【００５０】
例えば、表示設定情報として、特定の友人３名とのコミュニケーションのつながりを「太さ」で表示させる指示が登録されている場合、情報管理サーバ装置３は、表示設定情報で指定された３名の人名データの通信履歴情報を読み出し（ステップＢ４）、表示設定情報の「表示パラメータ」で指定された取得データの統計処理を実行する（ステップＢ５）。そして、表示設定情報で指定された「グラフの種類」にしたがって、例えば所定期間における通話回数や電子メールの送受信回数に応じた太さの線で各人のシンボル（イラストや写真等）どうしを接続して、図４（ａ）に示すようなグラフの画像データを生成し（ステップＢ６）、該画像データをユーザの移動端末装置に返送する（ステップＢ７）。
【００５１】
ユーザは、情報管理サーバ装置３から送信された画像データにしたがってグラフを移動端末装置１に表示させる。
【００５２】
なお、表示設定情報は、情報管理サーバ装置１４に必ずしも予め登録しておく必要はなく、ユーザが移動端末装置１を用いてコミュニケーション量の表示指示を情報管理サーバ装置３に送信するときに、表示設定情報も併せて送信するようにしてもよい。
【００５３】
また、情報管理サーバ装置３は、表示設定情報が予め登録されている場合は、個人レコードが更新される度に表示設定情報に基づいて自動的に統計処理を実行してもよい。
【００５４】
また、ユーザの移動端末装置１で通信履歴情報を保存し、コミュニケーション量の表示指示を情報管理サーバ装置３に送信するときに、該通信履歴情報も併せて送信するようにしてもよい。この場合、情報管理サーバ装置１４は、通信履歴情報の統計処理と表示設定情報の「グラフの種類」で指定された画像データを移動端末装置１に返送する処理とを実行すればよい。このような構成では、情報管理サーバ装置３を管理するサービス提供会社にユーザが予め会員登録する必要がなくなる。
【００５５】
さらに、上記処理では、情報管理サーバ装置３にて通信履歴情報の統計処理を実行し、表示設定情報で指定された「グラフの種類」にしたがって複数の人やグループとのコミュニケーション量を示すグラフを表示するための画像データをユーザの移動端末装置１に送信する例を示したが、情報管理サーバ装置３は通信履歴情報の統計処理のみを実行し、その処理結果であるパラメータをユーザの移動端末装置１に送信してもよい。その場合、移動端末装置１は情報管理サーバ装置３から受信したパラメータを用いて複数の人やグループとのコミュニケーション量を示すグラフを表示するための画像データを生成して表示する。
【００５６】
また、上記説明では、移動端末装置を個人が私的に利用し、コミュニケーション量を移動端末装置に表示させるユーザ自身と予め指定した人やグループとのコミュニケーション量を移動端末装置に表示させる例を示したが、該ユーザを含まない、予め指定した人やグループ間のコミュニケーション量を移動端末装置に表示させてもよい。その場合、表示させる人やグループは、情報管理サーバ装置３に予め登録する表示設定除情報によって指定すればよい。このような構成の場合、本実施形態の移動通信システムは企業等で利用しても有益である。例えば、企業から各担当者に移動端末装置を支給し、該移動端末装置を利用した担当者と顧客とのコミュニケーション履歴を閲覧したり、企業から複数の代理店に移動端末装置を支給し、該移動端末装置を利用した各代理店と顧客とのコミュニケーション履歴を閲覧することで業務管理に利用することができる。
【００５７】
本実施形態の移動通信システムによれば、複数の通信相手とのコミュニケーション量を容易に確認することが可能になるため、あるグループメンバーとのコミュニケーション状況や友人どうしのコミュニケーション状況等が容易に把握でき、連絡が途絶えがちな知人や友人等を確認することができる。したがって、以降の通信相手とのコミュニケーションの改善に役立てることができる。
【００５８】
特に、情報管理サーバ装置３にて生成した画像データにしたがって移動端末装置１にコミュニケーション量をグラフィカルに表示させることで、アミューズメント性が高まり、移動端末装置１に表示させた画面を互いに見せあうこと等によって新たな話題が提供され、移動端末装置１を利用した人と人との新たなコミュニケーションの創出に寄与する移動通信システムが得られる。さらに、通信機会の増大も期待されるため、移動通信システムを管理する通信会社は通信利用料の増収が期待できる。
【００５９】
（第２の実施の形態）
第１の実施の形態の移動通信システムでは、ユーザ毎の通信履歴情報をネットワーク上の情報管理サーバ装置に記録し、該通信履歴情報の統計処理を情報管理サーバ装置で行った後、ユーザの移動端末装置にコミュニケーション量をグラフィカルに表示させていた。第２の実施の形態は、ユーザ毎の通信履歴情報を移動端末装置に記録し、通信履歴情報の統計処理も移動端末装置で行う例である。
【００６０】
図７は本発明の移動端末装置の一構成例を示すブロック図である。
【００６１】
図７に示すように、本実施形態の移動端末装置は、プログラムにしたがって所定の処理を実行する制御装置４１と、プログラム及びユーザが登録したデータや通信履歴情報を保存する記憶装置４２と、制御装置４１に対してコマンドや情報等を入力するための入力装置４３と、制御装置４１の処理結果をモニタするための表示装置４４とを有する構成である。なお、移動端末装置１には、上記制御装置４１、記憶装置４２、入力装置４３、表示装置４４の他に、携帯電話機としての機能を実現する、無線基地局と通信するための無線送受信部、送受信データの信号処理を行うベースバンド信号処理部、写真や動画を撮影するためのカメラ、音声を出力するためのスピーカ、音声を入力するためのマイク等を備えている。これらの構成及び動作については公知であるため、その説明及び図示は省略する。
【００６２】
移動端末装置の記憶装置４２には、第１の実施の形態で示した情報管理サーバ装置のデータ蓄積装置と同様に、通話や電子メールの発信時における発信先の電話番号（または電子メールアドレス）、受信時における発信元の電話番号（または電子メールアドレス）、通信日時、通信時間、電子メールのデータ量、電子メールの文字数等の通信履歴情報が格納される。
【００６３】
また、記憶装置４２には、ユーザによって予め登録された電話番号や電子メールアドレス等が人名やグループ毎にアドレス帳として記録される。通信履歴情報は、各ユーザの個人レコードとしてアドレス帳に登録された人名データやグループ名データに対応付けて記録される。個人レコードは、通信相手の名前に対して通話履歴（日時、通信時間）や電子メール履歴（日時、データ量、文字数）がそれぞれ対応するように、例えばテーブル形式で記録される。
【００６４】
さらに、記憶装置４２には、ユーザによって予め登録された、移動端末装置に表示させる内容（表示人数や表示させるグラフの種類等）を指定するための表示設定情報が登録される。ユーザによって登録される表示設定情報には、第１の実施の形態と同様に、例えば、表示人数、画像表示、表示パラメータ、グラフの種類、表示優先順位、表示種類等がある。なお、表示設定情報は、必ずしも予め登録しておく必要はなく、入力装置４３を用いてコミュニケーション量の表示を指示したときに併せて入力するようにしてもよい。
【００６５】
制御装置４１は、記憶装置４２に記録されたプログラムにしたがって以下に記載する本発明の処理を実行する。以下、本発明の移動通信システムの動作について図８を用いて説明する。
【００６６】
図８は図７に示した移動端末装置の処理手順を示すフローチャートである。
【００６７】
図８（ａ）に示すように、ユーザが移動端末装置を用いて発呼や電子メールの送信、あるいは着呼や電子メールを受信すると、制御装置４１は、通話や電子メールの発信時における発信先電話番号（または電子メールアドレス）、受信時における発信元電話番号（または電子メールアドレス）、通信日時、及び通信時間等の通信履歴情報を取得する（ステップＣ１）。
【００６８】
次に、制御装置４１は、通信相手の電話番号あるいは電子メールアドレスに基づいて記録装置４２内のアドレス帳から対応する人名（グループ名）データを読み出し（ステップＣ２）、通信履歴情報を人名データに結合して個人レコードを更新する（ステップＣ３）。
【００６９】
一方、ユーザが移動端末装置１にコミュニケーション量の表示を指示すると、制御装置４１は、個人レコードを読み出し（ステップＤ１）、表示設定情報の登録有無を確認する（ステップＤ２）。
【００７０】
表示設定情報が登録されている場合、制御装置４１は、個人レコード及び表示設定情報に基づいて取得データの統計処理を行い、画像データを生成して表示装置４４に表示させる。
【００７１】
例えば、表示設定情報として、特定の友人３名とのコミュニケーションのつながりを「太さ」で表示させる指示が登録されている場合、制御装置４１は、表示設定情報で指定された３名の人名データの通信履歴情報を読み出し（ステップＤ３）、表示設定情報の「表示パラメータ」で指定された取得データの統計処理を実行する（ステップＤ４）。そして、表示設定情報で指定された「グラフの種類」にしたがって、例えば所定期間における通話回数や電子メールの送受信回数に応じた太さの線で各人どうしを接続して図４（ａ）に示すようなグラフの画像データを生成し（ステップＤ５）、表示装置４４に表示させる（ステップＤ６）。
【００７２】
本実施形態の移動端末装置においても、第１の実施の形態と同様に、複数の通信相手とのコミュニケーション量を容易に確認することが可能になるため、以降の通信相手とのコミュニケーションの改善に役立てることができる。
【００７３】
また、移動端末装置にコミュニケーション量をグラフィカルに表示させることで、アミューズメント性が高まり、移動端末装置１に表示させた画面を互いに見せあうこと等によって新たな話題が提供され、移動端末装置を利用した人と人との新たなコミュニケーションの創出に寄与する移動通信システムが得られる。さらに、通信機会の増大も期待されるため、移動通信システムを管理する通信会社は通信利用料の増収が期待できる。
【００７４】
【発明の効果】
本発明は以上説明したように構成されているので、以下に記載する効果を奏する。
【００７５】
移動端末装置とネットワークを介して接続されるサーバ装置あるいは移動端末装置に、移動端末装置からの発信時における発信先及び受信時における発信元の通信履歴情報を蓄積し、通信履歴情報の統計処理を行い、該統計処理結果に基づいて前記ユーザによって指定された複数の通信相手間のコミュニケーション量を移動端末装置にグラフィカルに表示させるための画像データを生成し、移動端末装置に表示させることで、複数の通信相手とのコミュニケーション量を容易に確認することが可能であり、以降の通信相手とのコミュニケーションの改善に役立てることができる。
【００７６】
特に、サーバ装置あるいは移動端末装置にて生成した画像データにしたがって移動端末装置にコミュニケーション量をグラフィカルに表示させることで、アミューズメント性が高まり、移動端末装置に表示させた画面を互いに見せあうこと等によって新たな話題が提供され、移動端末装置を利用した人と人との新たなコミュニケーションの創出に寄与する。よって、移動端末装置を使ったコミュニケーションがさらに増加して通信機会の増大が期待されるため、移動通信システムを管理する通信会社は通信利用料の増収が期待できる。
【図面の簡単な説明】
【図１】本発明の移動通信システムの一構成例を示すブロック図である。
【図２】図１に示した情報管理サーバ装置の一構成例を示すブロック図である。
【図３】図１に示した移動端末装置に表示させる画像の一例を示す模式図である。
【図４】図１に示した移動端末装置に表示させる画像の一例を示す模式図である。
【図５】図１に示した移動端末装置に表示させる画像の一例を示す模式図である。
【図６】図１に示した情報提供サーバ装置の処理手順を示すフローチャートである。
【図７】本発明の移動端末装置の一構成例を示すブロック図である。
【図８】図７に示した移動端末装置の処理手順を示すフローチャートである。
【符号の説明】
１    移動端末装置
２    無線基地局
３    情報管理サーバ装置
４    無線ネットワーク制御装置
５    ネットワーク
１０    処理装置
１１    ＣＰＵ
１２    主記憶装置
１４    データ蓄積装置
１５    メモリ制御インタフェース
１６    Ｉ／Ｏインタフェース部
１７    通信制御装置
１８    バス
２０、４３    入力装置
３０    出力装置
４０    記録媒体
４１    制御装置
４２    記憶装置
４４    表示装置
【図１】
2004304719.tif 000003
【図２】
2004304719.tif 000004
【図３】
2004304719.tif 000005
【図４】
2004304719.tif 000006
【図５】
2004304719.tif 000007
【図６】
2004304719.tif 000008
【図７】
2004304719.tif 000009
【図８】
2004304719.tif 000010